(57)【要約】【課題】フィードバック電圧及び基準電圧を受けるのに適合したパルス幅変調器を提供する。【解決手段】前記パルス幅変調器は、振幅調節可能三角波発生器と、誤差信号発生器と、パルス信号発生器と、駆動回路とを具える。前記振幅調節可能三角波発生器は、前記基準電圧及びフィードバック電圧にしたがって振幅演算を行い、振幅調節可能三角波を前記フィードバック電圧の変化にしたがって発生するのに適合する。前記誤差信号発生器は、前記フィードバック電圧及び基準電圧にしたがって誤差演算を行い、誤差信号を出力するのに適合する。前記パルス信号発生器は、前記振幅調節可能三角波発生器及び誤差信号発生器に結合し、前記誤差信号及び振幅調節可能三角波を受けて比較し、パルス制御信号を出力するのに適合する。前記駆動回路は、前記パルス信号発生器に結合し、前記パルス制御信号を受けて変換し、駆動信号を発生するのに適合する。【選択図】図１
2005151791.tif 000002
【特許請求の範囲】
【請求項１】
フィードバック電圧及び基準電圧を受けるのに適合したパルス幅変調器において、
前記基準電圧及びフィードバック電圧にしたがって振幅演算を行い、前記フィードバック電圧の変化にしたがって振幅調節可能三角波を発生するのに適合した振幅調節可能三角波発生器と、
前記フィードバック電圧及び基準電圧にしたがって誤差演算を行い、誤差信号を出力するのに適合した誤差信号発生器と、
前記振幅調節可能三角波発生器及び誤差信号発生器に結合し、前記誤差信号及び振幅調節可能三角波を受けて比較し、パルス制御信号を出力するのに適合したパルス信号発生器と、
前記パルス信号発生器に結合し、前記パルス制御信号を受けて変換し、駆動信号を出力するのに適合した駆動回路とを具えることを特徴とするパルス幅変調器。
【請求項２】
請求項１に記載のパルス幅変調器において、前記フィードバック電圧と基準電圧との間の差が過渡電圧より高い場合、前記振幅調節可能三角波発生器が、第１振幅の前記振幅調節可能三角波を出力することを特徴とするパルス幅変調器。
【請求項３】
請求項１に記載のパルス幅変調器において、前記フィードバック電圧と基準電圧との間の差が過渡電圧より低い場合、前記振幅調節可能三角波発生器が、累進的な第２振幅の前記振幅調節可能三角波を出力することを特徴とするパルス幅変調器。
【請求項４】
請求項１に記載のパルス幅変調器において、前記フィードバック電圧が前記基準電圧以上である場合、前記振幅調節可能三角波発生器が、第３振幅の前記振幅調節可能三角波を出力することを特徴とするパルス幅変調器。
【請求項５】
電源端子に結合したローディングシステムにおいて、
前記電源端子に結合して動作電圧を選択的に受ける入力端子と、出力端子とを有するブースト回路と、
前記ブースト回路の出力端子に結合するパルス幅変調器であって、
前記ブースト回路からフィードバック電圧を受け、基準電圧及び前記フィードバック電圧にしたがって振幅演算を行い、前記フィードバック電圧の変化にしたがって振幅調節可能三角波を発生するのに適合した振幅調節可能三角波発生器と、
前記フィードバック電圧及び基準電圧にしたがって誤差演算を行い、誤差信号を出力するのに適合した誤差信号発生器と、
前記振幅調節可能三角波発生器及び誤差信号発生器に結合し、前記誤差信号及び振幅調節可能三角波を受けて比較し、パルス制御信号を出力するのに適合したパルス信号発生器と、
前記パルス信号発生器に結合し、前記パルス制御信号を受けて変換し、駆動信号を出力するのに適合した駆動回路とを具えるパルス幅変調器と、
前記駆動回路に結合する第１端子と、前記電源端子に結合する第２端子と、接地端子に結合する第３端子とを具え、前記スイッチのターンオン又はターンオフが前記駆動信号に依存することを特徴とするローディングシステム。
【請求項６】
請求項５に記載のローディングシステムにおいて、前記スイッチがターンオンする場合、前記電源端子は前記動作電圧を前記ブースト回路に印加し、前記スイッチがターンオフする場合、前記電源端子は前記動作電圧を前記ブースト回路に印加しないことを特徴とするローディングシステム。
【請求項７】
電源端子に結合したローディングシステムにおいて、
前記電源端子に結合して動作電圧を選択的に受ける入力端子と、出力端子とを有するバック回路と、
前記バック回路の出力端子に結合するパルス幅変調器であって、
前記バック回路からフィードバック電圧を受け、基準電圧及び前記フィードバック電圧にしたがって振幅演算を行い、前記フィードバック電圧の変化にしたがって振幅調節可能三角波を発生するのに適合した振幅調節可能三角波発生器と、
前記フィードバック電圧及び基準電圧にしたがって誤差演算を行い、誤差信号を出力するのに適合した誤差信号発生器と、
前記振幅調節可能三角波発生器及び誤差信号発生器に結合し、前記誤差信号及び振幅調節可能三角波を受けて比較し、パルス制御信号を出力するのに適合したパルス信号発生器と、
前記パルス信号発生器に結合し、前記パルス制御信号を受けて変換し、駆動信号を出力するのに適合した駆動回路とを具えるパルス幅変調器と、
前記駆動回路に結合する第１端子と、前記電源端子に結合する第２端子と、接地端子に結合する第３端子とを有するスイッチとを具え、前記スイッチのターンオン又はターンオフが前記駆動信号に依存することを特徴とするローディングシステム。
【請求項８】
請求項７に記載のローディングシステムにおいて、前記スイッチがターンオンする場合、前記電源端子は前記動作電圧を前記バック回路に印加し、前記スイッチがターンオフする場合、前記電源端子は前記動作電圧を前記バック回路に印加しないことを特徴とするローディングシステム。
【請求項９】
電源端子に結合したローディングシステムにおいて、
入力端子と、フィードバック電圧を出力する出力端子とを有するプッシュプル回路と、
前記プッシュプル回路の出力端子に結合するパルス幅変調器であって、
前記プッシュプル回路からフィードバック電圧を受け、基準電圧及び前記フィードバック電圧にしたがって振幅演算を行い、前記フィードバック電圧の変化にしたがって振幅調節可能三角波を発生するのに適合した振幅調節可能三角波発生器と、
前記フィードバック電圧及び基準電圧にしたがって誤差演算を行い、誤差信号を出力するのに適合した誤差信号発生器と、
前記振幅調節可能三角波発生器及び誤差信号発生器に結合し、前記誤差信号及び振幅調節可能三角波を受けて比較し、パルス制御信号を出力するのに適合したパルス信号発生器と、
前記パルス信号発生器に結合し、前記パルス制御信号を受けて変換し、駆動信号を出力するのに適合した駆動回路とを具えるパルス幅変調器と、
前記駆動回路に結合する第１端子と、前記電源端子に結合する第２端子と、接地端子に結合する第３端子とを有するスイッチとを具え、前記スイッチのターンオン又はターンオフが前記駆動信号に依存することを特徴とするローディングシステム。
【請求項１０】
請求項９に記載のローディングシステムにおいて、前記スイッチがターンオンする場合、前記プッシュプル回路は誘導電流を発生することを特徴とするローディングシステム。
【請求項１１】
電源端子に結合したローディングシステムにおいて、
入力端子と、フィードバック電圧を出力する出力端子とを有するフルブリッジ回路と、
前記フルブリッジ回路の出力端子に結合するパルス幅変調器であって、
前記フルブリッジ回路からフィードバック電圧を受け、基準電圧及び前記フィードバック電圧にしたがって振幅演算を行い、前記フィードバック電圧の変化にしたがって振幅調節可能三角波を発生するのに適合した振幅調節可能三角波発生器と、
前記フィードバック電圧及び基準電圧にしたがって誤差演算を行い、誤差信号を出力するのに適合した誤差信号発生器と、
前記振幅調節可能三角波発生器及び誤差信号発生器に結合し、前記誤差信号及び振幅調節可能三角波を受けて比較し、パルス制御信号を出力するのに適合したパルス信号発生器と、
前記パルス信号発生器に結合し、前記パルス制御信号を受けて変換し、駆動信号を出力するのに適合した駆動回路とを具えるパルス幅変調器と、
前記駆動回路に結合する第１端子と、前記電源端子に結合する第２端子と、接地端子に結合する第３端子とを有するスイッチとを具え、前記スイッチのターンオン又はターンオフが前記駆動信号に依存することを特徴とするローディングシステム。
【請求項１２】
請求項１１に記載のローディングシステムにおいて、前記スイッチがターンオンする場合、前記フルブリッジ回路は誘導電流を発生することを特徴とするローディングシステム。
【請求項１３】
電源端子に結合したローディングシステムにおいて、
入力端子と、フィードバック電圧を出力する出力端子とを有するハーフブリッジ回路と、
前記ハーフブリッジ回路の出力端子に結合するパルス幅変調器であって、
前記ハーフブリッジ回路からフィードバック電圧を受け、基準電圧及び前記フィードバック電圧にしたがって振幅演算を行い、前記フィードバック電圧の変化にしたがって振幅調節可能三角波を発生するのに適合した振幅調節可能三角波発生器と、
前記フィードバック電圧及び基準電圧にしたがって誤差演算を行い、誤差信号を出力するのに適合した誤差信号発生器と、
前記振幅調節可能三角波発生器及び誤差信号発生器に結合し、前記誤差信号及び振幅調節可能三角波を受けて比較し、パルス制御信号を出力するのに適合したパルス信号発生器と、
前記パルス信号発生器に結合し、前記パルス制御信号を受けて変換し、駆動信号を出力するのに適合した駆動回路とを具えるパルス幅変調器と、
前記駆動回路に結合する第１端子と、前記電源端子に結合する第２端子と、接地端子に結合する第３端子とを有するスイッチとを具え、前記スイッチのターンオン又はターンオフが前記駆動信号に依存することを特徴とするローディングシステム。
【請求項１４】
請求項１３に記載のローディングシステムにおいて、前記スイッチがターンオンする場合、前記ハーフブリッジ回路は誘導電流を発生することを特徴とするローディングシステム。
【発明の詳細な説明】
【技術分野】
【０００１】
本発明は、パルス幅変調器に関し、特に、三角波の増幅を変更し、制御信号の幅を変更し、ローディングシステムの過渡応答を高める増幅調節可能三角波発生器を有するパルス幅変調器に関する。
【背景技術】
【０００２】
パルス幅変調（ＰＷＭ）は、ブースト回路、バック回路、プッシュプル回路、ハーフブリッジ回路、又は、フルブリッジ回路のようなフィードバック回路を制御する慣例的な方法である。先行技術において、誤差増幅器及び三角波発生器は、誤差変化にしたがってパルスを発生することに関して、固定振幅三角波を発生する。
【０００３】
図５は、ローディングシステムの慣例的なパルス幅変調器を示すブロック回路図である。ローディングシステム５０は、パルス幅変調器５００と、スイッチ５５０と、ローディング回路５６０とを具える。スイッチ５５０を電源端子と、パルス幅変調器５００と、接地端子とに接続する。ローディング回路５６０の入力端子５６２を、前記電源端子に結合する。ローディング回路５６０の出力端子５６４を、前記接地端子に結合する。パルス幅変調器５００を、ローディング回路５６０の出力端子５６４に結合する。
【０００４】
パルス幅変調器５００は、三角波発生器５１０と、誤差増幅器５２０と、比較記５３０と、駆動回路５０とを含む。誤差増幅器５２０の負端子をローディング回路５６０の出力端子５６４に結合し、これらからフィードバック電圧を受ける。誤差増幅器５２０の正端子を基準電圧源に結合する。比較器５３０の正端子を誤差増幅器５２０に結合し、比較器５３０の負端子を三角波発生器５１０に結合し、比較器５３０の出力端子を駆動回路５４０に結合する。図６は、三角波と、誤差信号と、パルス制御信号とを発生する慣例的な三角波発生器を示す図式的な図である。誤差増幅器５２０は、前記フィードバック電圧及び基準電圧の誤作演算を行い、誤差信号６４０を比較器５３０に出力する。パルス幅変調器５００がターンオンした後、三角波発生器５１０は、固定振幅三角波６０２を比較器５３０に出力する。比較器５３０は、誤差信号５４０と固定振幅三角波６０２とを比較し、前記駆動信号を出力する。最後に、駆動回路５４０は、パルス制御信号６０６を出力する。
【０００５】
先行技術のローディングシステム５０において、スイッチ５５０は、比較器５３０からのパルス制御信号にしたがって前記電力端子を制御する。スイッチ５５０がターンオンする場合、電力はローディング回路５６０に伝送されず、そうでない場合、電力はローディング回路５６０に伝送される。
【０００６】
したがって、前記慣例的なパルス幅変調器は、以下の欠点を有する。
（１）前記慣例的なパルス幅変調器において、前記パルス制御信号の幅を前記フィードバック電圧及び基準電圧の誤差によって変調するため、前記フィードバック電圧におけるノイズが前記パルス制御信号の幅に干渉する。
（２）前記慣例的なパルス幅変調器は、前記ローディングシステムに関して所望の過渡応答を発生するが、その安定性を低下させる。
（３）前記慣例的なパルス幅変調器は、前記ローディングシステムの所望の安定性を発生するが、その過渡応答を低下させる。
【発明の開示】
【発明が解決しようとする課題】
【０００７】
したがって、本発明の目的は、前記基準電圧及びフィードバック電圧にしたがって演算を行い、前記フィードバック電圧にしたがって振幅調節可能三角波を発生するのに適合したパルス幅変調器及びそのローディングシステムを提供することである。
【０００８】
本発明の他の目的は、前記パルス幅変調器からの振幅調節可能三角波を使用し、所望の過渡応答を保持するのに適合したパルス幅変調器及びそのローディングシステムを提供することである。
【課題を解決するための手段】
【０００９】
本発明は、フィードバック電圧及び基準電圧を受けるのに適合したパルス幅変調器を提供する。前記パルス幅変調器は、振幅調節可能三角波発生器と、誤差信号発生器と、パルス信号発生器と、駆動回路とを具える。前記振幅調節可能三角波発生器は、前記基準電圧及びフィードバック電圧にしたがって振幅演算を行い、振幅調節可能三角波を前記フィードバック電圧の変化にしたがって発生するのに適合する。前記誤差信号発生器は、前記フィードバック電圧及び基準電圧にしたがって誤差演算を行い、誤差信号を出力するのに適合する。前記パルス信号発生器は、前記振幅調節可能三角波発生器及び誤差信号発生器に結合し、前記誤差信号及び振幅調節可能三角波を受けて比較し、パルス制御信号を出力するのに適合する。前記駆動回路は、前記パルス信号発生器に結合し、前記パルス制御信号を受けて変換し、駆動信号を発生するのに適合する。
【００１０】
本発明の好適実施例によれば、前記振幅調節可能三角波発生器は、前記フィードバック電圧と基準電圧との間の差にしたがって前記三角波の振幅を決定する。前記フィードバック電圧と基準電圧との間の差が遷移電圧より高い場合、前記振幅調節可能三角波発生器は、第１振幅の前記振幅調節可能三角波を出力する。前記フィードバック電圧と基準電圧との間の差が遷移電圧より低い場合、前記振幅調節可能三角波発生器は、累進的な第２振幅の前記振幅調節可能三角波を出力する。前記フィードバック電圧が前記基準電圧以上である場合、前記振幅調節可能三角波発生器は、第３振幅の前記振幅調節可能三角波を出力する。
【００１１】
本発明の好適実施例によれば、前記パルス幅変調器を、フロントエンド回路、フライバック回路、ブースト回路、バック回路、プッシュプル回路、ハーフブリッジ回路、又は、フルブリッジ回路を具えるローディングシステムに適用することができる。
【００１２】
本発明は、前記フィードバック電圧及び基準電圧にしたがって振幅変調可能三角波を発生する振幅変調可能三角波発生器を使用するため、前記ローディングシステムは、すぐに安定状態に達し、高い安定性を有する。
【００１３】
本発明の上述した目的と、他の目的と、特徴と、利点とを理解可能にするために、図を添えた好適実施例を以下に詳細に説明する。
【発明を実施するための最良の形態】
【００１４】
図１は、本発明の好適実施例によるパルス幅変調を示すブロック回路図である。図１を参照し、パルス幅変調器１００は、フィードバック電圧及び基準電圧を受けるのに適合する。パルス幅変調器１００は、振幅調節可能三角波発生器１１０と、誤差信号発生器１２０と、パルス信号発生器１３０とを具える。振幅調節可能三角波発生器１１０及び誤差信号発生器１２０は、前記フィードバック電圧及び基準電圧に関する演算を行う。パルス信号発生器１３０は、振幅調節可能三角波発生器１１０及び誤差信号発生器１２０に結合する。
【００１５】
この実施例において、振幅調節可能三角波発生器１１０は、前記基準電圧及びフィードバック電圧にしたがって振幅演算を行い、前記フィードバック電圧の変化にしたがって振幅調節可能三角波を発生するのに適合する。誤差信号発生器１２０は、前記フィードバック電圧及び基準電圧にしたがって誤差演算を行い、誤差信号を出力するのに適合する。パルス信号発生器１３０は、前記誤差信号及び振幅調節可能三角波を受けて比較し、前期ローディングシステムのスイッチを制御することに関するパルス制御信号を出力するのに適合する。
【００１６】
図２Ａは、本発明の第１実施例の振幅調節可能三角波発生器からの離散的な振幅調節可能三角波を示す図式的な図である。図２Ｂは、本発明の第１実施例による振幅調節可能三角波発生器からの連続的な振幅調節可能三角波を示す図式的な図である。
【００１７】
この実施例において、パルス幅変調器１００は、振幅調節可能三角波発生器１１０を制御し、振幅調節可能三角波発生器１１０が、前記フィードバック電圧と基準電圧との差が過渡電圧より高いことを確認した場合、図２Ａに示す小さい振幅の三角波２０２又は２０４を発生する。
【００１８】
この実施例において、振幅調節可能三角波発生器１１０が、前記フィードバック電圧と基準電圧との間の差が過渡電圧より低いか、低下することを確認した場合、振幅調節可能三角波発生器１１０は、図２Ａに示すオリジナルより長い振幅の三角波２０４又は２０６を出力する。
【００１９】
この実施例において、振幅調節可能三角波発生器１１０が、前記フィードバック電圧が前記基準電圧以上であることを確認した場合、振幅調節可能三角波発生器１１０は、図２Ａに示す大きい三角波２０６又は２０８を発生する。加えて、振幅調節可能三角波発生器１１０は、図２Ｂに示す三角波２１０の振幅を連続的に調節することができる。もちろん、本発明はこれに限定されない。
【００２０】
図３は、本発明の好適な振幅調節可能三角波発生器を示す回路図である。この実施例において、振幅調節可能三角波発生器１１０を示す。しかしながら、本発明はこれに限定されない。振幅調節可能三角波発生器１１０は、第１比較器３０２と、第２比較器３０４と、ＮＡＮＤゲート３０６及び３０８と、第３比較器３１０と、スイッチ３１２及び３１４と、充電電流源３１６と、放電電流源３１８と、キャパシタ３２０とを具える。
【００２１】
この実施例において、充電状態にある場合、第３比較器３１０は、スイッチ３１２をターンオフし、キャパシタ３２０を充電電流源３１６によって充電する。振幅調節可能三角波発生器１１０から三角波の振幅は増加する。前記三角波の振幅が第１比較電圧ＶＨより高い場合、第１比較器３０２の出力電圧は、「０」状態を表す電圧に低下する。ＮＡＮＤゲート３０６の出力電圧は、「１」状態を表す電圧に上昇する。前記三角波の振幅は、充電プロセス中は第２比較電圧ＶＬより高いため、第２比較器３０４の出力電圧は「１」状態に保たれる。ＮＡＮＤゲート３０８の２つの入力、ＮＡＮＤゲート３０６の出力及び第２比較器３０４の出力はすべて「１」状態にあるため、ＮＡＮＤゲート３０８の出力は「０」状態になる。したがって、第３比較器３１０の正端子は、その負端子より高い状態を有する。第３比較器３１０の出力端子は、「１」状態に上昇し、スイッチ３１２をターンオンし、充電源３１６からのキャパシタ３２０の充電を終了する。充電は完了する。
【００２２】
この実施例において、放電状態にある場合、第３比較器３１０は、スイッチ３１４をターンオフし、キャパシタ３２０を放電源３１８によって放電する。振幅調節可能三角波発生器１１０からの三角波の振幅は減少する。前記三角波の振幅が第２比較電圧ＶＬより低い場合、第２比較器３０４の出力電圧は、「０」状態を表す電圧に低下する。ＮＡＮＤゲート３０８の出力電圧は、「１」状態を表す電圧に上昇する。前記三角波の振幅は、放電プロセス中は第１比較電圧ＶＨより高いため、第２比較器３０４の出力電圧は「１」状態に保たれる。ＮＡＮＤゲート３０６の２つの入力、ＮＡＮＤゲート３０８の出力及び第１比較器３０２の出力はすべての「１」状態にあるため、ＮＡＮＤゲート３０６の出力は「０」状態になる。したがって、第３比較器３１０の正端子は、その負端子より低い状態を有する。第３比較器３１０の出力端子は、「０」状態に低下し、スイッチ３１４をターンオンし、放電端子３１８からのキャパシタ３２０の放電を終了する。放電は完了する。
【００２３】
この実施例において、前記フィードバック電圧と基準電圧との間の差が大きい場合、充電端子３１６及び放電端子３１８から充電及び放電する電流は小さい。最大の差である場合、前記電流は最も小さい。第１比較器３０２の第１比較電圧ＶＨは低い電圧である。第１比較電圧ＶＨと第２比較電圧ＶＬとの間の差も小さい。このとき、振幅調節可能三角波発生器１１０は、小さい振幅の三角波を発生する。
【００２４】
この実施例において、前記フィードバック電圧と基準電圧との間の差が減少する場合、充電端子３１６及び放電端子３１８から充電及び放電する電流は増加する。第１比較器３０２の第１比較電圧ＶＨも上昇する。このとき、振幅調節可能三角波発生器１１０は、累進的な振幅の三角波を発生する。
【００２５】
この実施例において、前記フィードバック電圧が前記基準電圧に近い場合、充電端子３１６及び放電端子３１８から充電及び放電する電流は最大になる。第１比較器３０２の第１比較電圧ＶＨも最高になる。このとき、振幅調節可能三角波発生器１１０は、最大振幅の三角波を発生する。
【００２６】
図４Ａは、本発明の好適実施例による振幅調節可能三角波発生器を用いるブースト回路を示す回路図である。この実施例において、ローディングシステム４０は、電源端子に結合し、パルス幅変調器４００と、スイッチ４５０と、ブースト回路４６０とを具える。
【００２７】
この実施例において、ブースト回路４６０は、前記電源端子に結合して、その動作電圧を選択的に受ける入力端子４６２と、出力端子４６４とを有する。前記パルス幅変調器は、ブースト回路４６０の出力端子４６４に結合し、振幅調節可能三角波発生器４１０と、誤差信号発生器４２０と、パルス信号発生器４３０と、駆動回路４４０とを具える。スイッチ４５０は、駆動回路４４０に結合する第１端子４５２と、前記電源端子に結合する第２端子４５４と、接地端子に結合する第３端子４５６とを有し、前記駆動信号にしたがってスイッチ４５０を制御する。
【００２８】
振幅調節可能三角波発生器４１０は、ブースト回路４６０からフィードバック電圧を受け、基準電圧及び前記フィードバック電圧にしたがって振幅演算を行い、前記フィードバック電圧の変化にしたがって振幅調節可能三角波を発生するのに適合する。誤差信号発生器４２０は、前記フィードバック電圧及び基準電圧にしたがって誤差演算を行い、誤差信号を出力するのに適合する。パルス信号発生器４３０は、振幅調節可能三角波発生器４１０及び誤差信号発生器４２０に結合し、前記誤差信号及び振幅調節可能三角波を受けて比較し、パルス制御信号を出力するのに適合する。駆動回路４４０は、パルス信号発生器４３０に結合し、前記パルス発生信号を受けて変換し、駆動信号をスイッチ４５０に出力するのに適合する。
【００２９】
この実施例において、スイッチ４５０がターンオフする場合、前記電源端子は、前記動作電圧をブースト回路４６０に印加し、スイッチ４５０がターンオンする場合、前記電源端子は、前記動作電圧をブースト回路４６０に印加しない。振幅調節可能三角波発生器４１０は、ブースト回路４６０の出力端子４６４からの前記基準電圧及びフィードバック電圧にしたがって振幅演算を行うのに適合する。
【００３０】
前記フィードバック電圧と基準電圧との差が過渡電圧より高い場合、前記ブースト回路はターンオンする。振幅調節可能三角波発生器４１０は、第１振幅の前記振幅調節可能三角波を出力する。
【００３１】
前記フィードバック電圧と基準電圧との間の差が過渡電圧より低い場合、振幅調節可能三角波発生器４１０は、累進的な第２振幅の前記振幅調節可能三角波を出力する。
【００３２】
前記フィードバック電圧が前記基準電圧以上である場合、ビースト回路４６０は安定状態にある。振幅調節可能三角波発生器４１０は、第３振幅の前記振幅調節可能三角波を出力する。
【００３３】
図４Ｂは、本発明の振幅調節可能三角波発生器を用いる好適なバック回路を示す回路図である。図４Ａと比較すると、この実施例は、バック回路４７０がブースト回路４６０の代わりをする。図４Ｂの構造及び動作は、図４Ａの構造及び動作と同様である。
【００３４】
図４Ｃは、本発明の好適実施例による振幅調節可能三角波発生器を用いるプッシュプル回路を示す回路図である。図４Ａと比較すると、前記プッシュプル回路は、前記電源端子に結合しない。スイッチ４５０がターンオンする場合、誘導電流を発生する。この実施例のパルス幅変調器４００の動作は、図４Ａのパルス幅変調器の動作と同様である。
【００３５】
図４Ｄは、本発明の好適実施例による振幅調節可能三角波発生器を用いるフルブリッジ回路を示す回路図である。図４Ｅは、本発明の好適実施例による振幅調節可能三角波発生器を用いるハーフブリッジ回路を示す回路図である。
【００３６】
図４Ｃと比較すると、図４Ｄの実施例は、フルブリッジ回路４７４がプッシュプル回路４７２の代わりをし、図４Ｃと同様の動作を有する。
【００３７】
図４Ｃと比較すると、図４Ｅの実施例は、ハーフブリッジ回路４７６がプッシュプル回路４７２の代わりをし、図４Ｃと同様の動作を有する。
【００３８】
本発明のこれらの実施例において、前記ローディング回路は、前記元の状態、過渡状態及び安定状態を通過する必要はない。いくつかの可能な状態を示すが、これらに限定されない。
【００３９】
本発明の好適実施例において、誤差信号発生器１２０を、例えば、誤差積分器とすることができる。
【００４０】
本発明の好適実施例において、パルス信号発生器１３０を、例えば、比較器とすることができる。
【００４１】
本発明の好適実施例において、前記過渡状態は、ローディング回路１５０の設計に応じて変化する。
【００４２】
本発明の好適実施例において、前記基準電圧を、前記回路の設計に応じて基準電圧発生器（図示せず）から発生することができる。
【００４３】
本発明の好適実施例において、前記ローディングシステムを、例えば、前記振幅調節可能三角波発生器を用いるフロントエンド回路又はフライバック回路とすることができるが、これらに限定されない。
【００４４】
したがって、前記パルス幅変調器及びそのローディングシステムは、以下のような利点を有する。
（１）本発明のパルス幅変調器及びそのローディングシステムは、誤差増幅器の代わりに誤差積分器を使用し、ノイズを防ぐ。
（２）本発明のパルス幅変調器及びそのローディングシステムは、振幅調節可能三角波発生器を使用し、その過渡応答を改善する。
（３）本発明のパルス幅変調器及びそのローディングシステムは、過渡応答を設定するタイミング係数にしたがって所望の安定性を有する。
（４）本発明のパルス幅変調器及びそのローディングシステムは、目標を超える前記ローディングシステムの応答を実質的に防ぐことができる。
（５）本発明のパルス幅変調器及びそのローディングシステムは、その応答時間を減少することができる。
（６）本発明のパルス幅変調器及びそのローディングシステムを１個のチップにおいて集積することができる。
【００４５】
本発明を例示的な実施例によって説明したが、これらに限定されない。むしろ、添付した請求項を、本発明の等価物の範囲から逸脱することなしに当業者によって形成することができる本発明の他の変形及び実施例を広く含むように構成すべきである。
【図面の簡単な説明】
【００４６】
【図１】本発明の好適実施例によるパルス幅変調器を示すブロック回路図である。
【図２】Ａは本発明の第１実施例による振幅調節可能三角波発生器からの離散的な振幅調節可能三角波を示す図式的な図であり、Ｂは本発明の第１実施例による振幅調節可能三角波発生器からの連続的な振幅調節可能三角波を示す図式的な図である。
【図３】本発明の好適実施例による振幅調節可能三角波発生器を示す回路図である。
【図４Ａ】は本発明の好適実施例による振幅調節可能三角波発生器を用いるブースト回路を示す回路図である。
【図４Ｂ】は本発明の好適実施例による振幅調節可能三角波発生器を用いるバック回路を示す回路図である。
【図４Ｃ】は本発明の好適実施例による振幅調節可能三角波発生器を用いるプッシュプル回路を示す回路図である。
【図４Ｄ】は本発明の好適実施例による振幅調節可能三角波発生器を用いるフルブリッジ回路を示す回路図である。
【図４Ｅ】は本発明の好適実施例による振幅調節可能三角波発生器を用いるハーフブリッジ回路を示す回路図である。
【図５】ローディングシステムの慣例的なパルス幅変調器を示すブロック回路図である。
【図６】三角波と、誤差信号と、パルス制御信号とを出力する慣例的な三角波発生器を示す図式的な図である。
【符号の説明】
【００４７】
４０  ローディングシステム
１００、４００  パルス幅変調器
１１０、４１０  振幅調節可能三角波発生器
１２０、４２０  誤差信号発生器
１３０、４３０  パルス信号発生器
１４０、４４０  駆動回路
３０２  第１比較器
３０４  第２比較器
３０６、３０８  ＮＡＮＤゲート
３１０  第３比較器
３１２、３１４、４５０  スイッチ
３１６  充電電流源
３１８  放電電流源
３２０  キャパシタ
４５２  第１端子
４５４  第２端子
４５６  第３端子
４６０  ブースト回路
４６２  入力端子
４６４  出力端子
４７０  バック回路
４７２  プッシュプル回路
４７４  フルブリッジカイロ
４７６  ハーフブリッジ回路
【図１】
2005151791.tif 000003
【図２】
2005151791.tif 000004
【図３】
2005151791.tif 000005
【図４Ａ】
2005151791.tif 000006
【図４Ｂ】
2005151791.tif 000007
【図４Ｃ】
2005151791.tif 000008
【図４Ｄ】
2005151791.tif 000009
【図４Ｅ】
2005151791.tif 000010
【図５】
2005151791.tif 000011
【図６】
2005151791.tif 000012